(57)【要約】【課題】光配線ユニットに引き込んだ光ファイバを別の光ファイバと接続する場合に、ジャンパ接続用の光ファイバを用いて中継するのでは、部品点数が多く、接続点も増大するため、部品点数の削減、接続点の減少等を実現できる技術の開発が求められていた。【解決手段】本発明に係る光配線ユニットは、搭載枠を貫通する開口部に挿通した光ファイバ９１の搭載枠前面側に引き出した部分を引き回し配線するようになっているので、部品点数の削減、接続点の減少等を実現できる。また、本発明に係る光ファイバ保持体６は、光ファイバ９１を保持したまま、搭載枠に挿入して、搭載枠に係合して収容でき、搭載枠に引き通した光ファイバ９１の引き留め部材としても機能する。【選択図】  図６
2004309730.tif 000002
【特許請求の範囲】
【請求項１】
プレート状の保持体本体（６Ａ）の上面（６Ｂ）に、光ファイバ（９１）を収容する光ファイバ配線溝（６３）が前記保持体本体を貫通して延在形成されており、
前記光ファイバ配線溝には、該光ファイバ配線溝に収容される光ファイバを複数集束、保持する集束リング（９４）が嵌め込むようにして収容される集束リング収容凹所（６３ｃ）が形成されており、
前記集束リングとともに光ファイバ配線溝に収容された光ファイバが、前記保持体本体に取り付けられるクランプ（６５、６５’）によって、前記光ファイバ配線溝内に押さえ込まれ、さらに、前記集束リング収容凹所に収容された前記集束リングが前記集束リング収容凹所内に保持されることによって、前記光ファイバ配線溝の延在方向に沿った方向への前記光ファイバの移動が規制されるようになっていること特徴とする光ファイバ保持体（６）。
【請求項２】
プレート状の保持体本体（６Ａ）の上面（６Ｂ）に、光ファイバ（９１）を収容する光ファイバ配線溝（６３）が前記保持体本体を貫通して延在形成されており、
前記光ファイバ配線溝の延在方向の少なくとも一箇所には、該光ファイバ配線溝が曲がって形成された曲がり部（６３ｄ）が存在しており、
光ファイバ配線溝に収容された光ファイバが、前記保持体本体に取り付けられるクランプ（６５、６５’）によって、前記光ファイバ配線溝内に押さえ込まれるようになっていることを特徴とする光ファイバ保持体。
【請求項３】
前記保持体本体上面上を覆う着脱可能のカバー（６Ｃ）を有することを特徴とする請求項１又は２記載の光ファイバ保持体。
【請求項４】
請求項１〜３のいずれかに記載の光ファイバ保持体（６）が挿入して収容される搭載枠（５）を有し、この搭載枠に収容された前記光ファイバ保持体によって、前記搭載枠に引き通された光ファイバ（９１）が保持されるようになっていることを特徴とする光配線ユニット（５，１００）。
【発明の詳細な説明】
【０００１】
【発明の属する技術分野】
本発明は、光ファイバを保持する光ファイバ保持体及び光配線ユニットに関する。
【０００２】
【従来の技術】
図１６は、従来例の光配線ユニットとしての光用架体１を示す概略図であり、（ａ）は前面図、（ｂ）は（ａ）中のＸ−Ｘ矢視図である。また、図１７は、前記光用架体１の一例を示す配線図である。
なお、ここでは、図１６（ａ）紙面手前，図１６（ｂ）の左側（光用架体１の左側）を光用架体１の前面側と称し、図１６（ｂ）の右側（光用架体１の左側）を光用架体１の背面側と称することとする。
【０００３】
図１６中、符号２は、光用架体１を構成する架本体２（架体フレーム）であり、図１６中左側の成端部３と、図１６中右側の光ファイバ配線部４とにほぼ２分された構成になっている。
成端部３には、外観薄板状のケース構造である光モジュール３１（成端モジュール）が縦置き横並びに複数配列収納されている接続ユニット３２が、上下に多段に搭載されている。各光モジュール３１には、光ファイバケーブル８端末に口出しされた光ファイバ８１が架体背面側から引き込まれており、さらに、この光ファイバ８１先端をコネクタ接続可能に成端する光コネクタアダプタ３３が、架前面側に向けて配置される側部に備えられている。
【０００４】
一方、前記光ファイバ配線部４には、搭載枠４１が上下に多段に収納されている。この搭載枠４１は、薄板状のジャンパユニット４２と、やはり薄板状の配線用エレメント４３との対を、上下に多段に収納するラックである。ジャンパユニット４２と配線用エレメント４３とは、配線用エレメント４３が、ジャンパユニット４２に対して架体前面側に配置されるようにして、搭載枠４１に収納される。
【０００５】
図１７に示すように、前記ジャンパユニット４２には、光ファイバ４４の一端が固定されており、さらに、この光ファイバ４４をコネクタ接続可能に成端する光コネクタアダプタ４５が取り付けられている。光ファイバ４４の他端、すなわち、ジャンパユニット４２とは逆の側の端部は、光コネクタ４６によってコネクタ接続可能に成端されており、成端部３に引き込んで、光モジュール３１の光コネクタアダプタ３３に対して切り替え可能にコネクタ接続（ジャンパ接続）される。光ファイバ４４は、いわゆるジャンパコードとして用いられる。
このジャンパユニット４２は、光コネクタアダプタ４５を架体背面側に臨ませて搭載枠４１に収納される。
【０００６】
配線用エレメント４３は、搭載枠４１に収納されたジャンパユニット４２から架体前面側に延出される前記光ファイバ４４の配線方向（換言すれば、搭載枠４１からの引き出し方向）を設定（配線方向設定機能）するものであり、例えば、架体前面側にて光ファイバ４４を保持したまま回転することで光ファイバ４４の配線方向を変更、設定する可動アーム（図示略）を備える構造や、架体前面側に突出されたアーム（図示略）の複数箇所に設けられている光ファイバ保持部を選択して、光ファイバ４４を保持することで、光ファイバ４４の配線方向を設定できる構造を有するものである。
【０００７】
この光用架体１では、光ファイバ配線部４に引き込んだ光ファイバ９１（この光ファイバ９１は光ファイバケーブル９から口出しされている）を、ジャンパユニット４２の光コネクタアダプタ４５に接続し、この光コネクタアダプタ４５を介して光ファイバ９１と接続された光ファイバ４４を、成端部３の光モジュール３１の光コネクタアダプタ３３に接続することで、光ファイバ９１が光ファイバケーブル８側の目的の光回線（光ファイバ８１）に対して接続される。また、搭載枠４１から架体前面側に引き出されている光ファイバ４４の本数が多数本であっても、配線用エレメント４３の配線方向設定機能を利用することで、成端部３への引き込みに適した方向への光ファイバ４４の配線を整然と行うことができる。さらに、配線用エレメント４３の機能により、成端部３への配線とは異なる方向、例えば、別の架体への配線や、成端部３の光モジュール３１の光コネクタアダプタ３３への接続を待機している光ファイバ４４を保留するための保留部４７（図では、保留部４７は、搭載枠４１の設置位置を介して成端部３と対向する側にある）への配線なども、整然と行うことができ、しかも、光ファイバ４４を取り出して配線方向を変更する作業（例えば、保留部から取り出した光ファイバ４４を成端部３に配線することなど）等も効率良く行える。
なお、上述した構成の光用架体に関する技術を開示する先行技術文献としては、例えば以下の特許文献１，２がある。
【０００８】
【特許文献１】
特開２０００−３２９９４３号公報
【特許文献２】
特開２０００−３２９９４５号公報
【０００９】
【発明が解決しようとする課題】
しかしながら、上述の光用架体は、架背面側の光ファイバ９１を、光ファイバ配線部４の搭載枠４１に収納したジャンパユニット４２の光コネクタアダプタ４５に接続し、光コネクタアダプタ４５を介して光ファイバ９１と接続された光ファイバ４４を架前面側にて所望の方向に配線することで、成端部３側の光ファイバ８１に対する光ファイバ９１の光接続等を実現する構造であり、部品点数が多い、光線路の接続点が増加する、といった不満があった。
【００１０】
本発明の目的は、上記した事情に鑑みなされたものであり、搭載枠に背面側から引き通すようにして挿通した光ファイバを、搭載枠前面側にて引き回し配線する構成により、部品点数の削減、接続点の減少等を実現できる光配線ユニット、及び、光ファイバの目的位置への引き込みや配線の作業性の向上、引っ張り力に対するズレを生じにくい安定支持を簡単に実現できる光ファイバ保持体を提供することを目的とする。
【００１１】
【課題を解決するための手段】
本発明では、プレート状の保持体本体の上面に、光ファイバを収容する光ファイバ配線溝が前記保持体本体を貫通して延在形成されており、前記光ファイバ配線溝には、該光ファイバ配線溝に収容される光ファイバを複数集束、保持する集束リングが嵌め込むようにして収容される集束リング収容凹所が形成されており、前記集束リングとともに光ファイバ配線溝に収容された光ファイバが、前記保持体本体に取り付けられるクランプによって、前記光ファイバ配線溝内に押さえ込まれ、さらに、前記集束リング収容凹所に収容された前記集束リングが前記集束リング収容凹所内に保持されることによって、前記光ファイバ配線溝の延在方向に沿った方向への前記光ファイバの移動が規制されるようになっていること特徴とする光ファイバ保持体を提供する。
また、本発明では、プレート状の保持体本体の上面に、光ファイバを収容する光ファイバ配線溝が前記保持体本体を貫通して延在形成されており、前記光ファイバ配線溝の延在方向の少なくとも一箇所には、該光ファイバ配線溝が曲がって形成された曲がり部が存在しており、光ファイバ配線溝に収容された光ファイバが、前記保持体本体に取り付けられるクランプによって、前記光ファイバ配線溝内に押さえ込まれるようになっていること特徴とする光ファイバ保持体を提供する。
本発明に係る光ファイバ保持体では、前記保持体本体上面上を覆う着脱可能のカバーを有する構成も採用可能である。
また、本発明は、本発明に係る光ファイバ保持体が挿入して収容される搭載枠を有し、この搭載枠に収容された前記光ファイバ保持体によって、前記搭載枠に引き通された光ファイバが保持されるようになっていることを特徴とする光配線ユニットを提供する。
【００１２】
本発明の光配線ユニットでは、搭載枠に引き込んだ光ファイバを搭載枠に引き通して、搭載枠から引き出した部分を引き回すことで目的の配線を実現できるようになっており、従来技術のように、中継用の光ファイバの接続を必要としない。このため、中継用の光ファイバとの接続に係るジャンパユニットなども必要無く、部品点数の削減、接続点の減少を実現できる。また、光配線ユニットへの光ファイバの引き込みに、本発明に係る光ファイバ保持体を利用することで、引き込み作業を簡単に行える上、光ファイバ保持体を搭載枠に係合して搭載することで、引き込み作業を完了して搭載枠に引き通し状態になっている光ファイバの支持を行える。光ファイバ保持体は、光ファイバを保持した集束リングを、保持体本体に形成されている光ファイバ配線溝の集束リング収容凹所に嵌め込んで固定することや、曲がり部を有する光ファイバ配線溝に光ファイバを収容することによって、光ファイバを引き留める引き留め部材としての機能も果たすから、搭載枠に引き通し状態になっている光ファイバを、引っ張り力等に対して位置ずれを生じないように引き留めて、安定支持を実現できる。
なお、本発明に係る光ファイバ保持体を用いた光ファイバの引き込みや、支持（引き留め等）の対象としては、光配線ユニットに限定されず、例えば光ファイバの管路布設やフロア配線等にも利用可能である。
【００１３】
【発明の実施の形態】
以下に本発明の１実施の形態について、図を参照して説明する。この実施の形態の光用架体は、本発明に係る光配線ユニットを具現化したものであり、また、前記光用架体に適用される光ファイバ保持体は、本発明に係る光ファイバ保持体を具現化したものである。
図１（ａ）は、本発明に係る光配線ユニット（以下、光用架体と言う場合がある。）の概要を示す前面図であり、図１（ｂ）は図１（ａ）中のＸ−Ｘ矢視図を示したものである。また、図２（ａ）はその背面図であり、図２（ｂ）は図２（ａ）中のＹ−Ｙ矢視図を示したものである。なお、以下の説明において参照する図面中、従来例の構成と同一構成については同一の符号を付すこととする。
【００１４】
光用架体１００は、架本体２内に、成端部３と光ファイバ配線部４Ａとを備えて構成されており、図１中左側の成端部３と、図１中右側の光ファイバ配線部４Ａとに２分された構造になっている。
なお、図１（ａ），（ｂ）、図２（ａ），（ｂ）において、上側が上、下側が下である。また、ここでは、図１（ａ）紙面手前，図１（ｂ）の左側，図２（ｂ）の右側を前面側と称し、図１（ｂ）の右側，図２（ａ）紙面手前，図２（ｂ）の左側を背面側と称することとする。
【００１５】
成端部３は、図１６等を参照して説明した光用架体１の成端部３と同様の構造であり、各接続ユニット３２に収納された光モジュール３１の光コネクタアダプタ３３は、架前面側に臨ませて設けられている。
【００１６】
前記光ファイバ配線部４Ａには、搭載枠５が上下に多段に収納されている。搭載枠５は、背面側（図１（ａ）紙面奥側）から前面側（図１（ａ）紙面手前側）に貫通する開口部５１を有している。なお、光ファイバ配線部４Ａは、その上下全体に渡って１つの搭載枠５が収納されたものでも構わない。なお、搭載枠５自体も、本発明に係る光配線ユニットとして機能する。
この搭載枠５は、薄板状の光ファイバ保持体６と、やはり薄板状の配線用エレメント７を、上下に多段に収納するラックである。光ファイバ保持体６と配線用エレメント７とは、合体されて、一枚の薄板状の光ファイバ保持ユニット１０を構成しており、搭載枠５には、前記光ファイバ保持ユニット１０が上下に多段に搭載される。光ファイバ保持体６は、背面側から搭載枠５の開口部５１内に挿入して、前面側に取り出すことができる。配線用エレメント７は、前面側から搭載枠５の開口部５１内に挿入するようにして、光ファイバ保持体６に合体することができる。各光ファイバ保持ユニット１０は、配線用エレメント７が、光ファイバ保持体６に対して架体前面側に配置されるようにして、搭載枠５に搭載される。
【００１７】
また、搭載枠５の開口部５１には、光ファイバ配線部４Ａ側に導入された光ファイバケーブル９の端末から口出しされた多数本の光ファイバ９１が、背面側から前面側に貫通させて挿通されており、この光ファイバ９１の架本体２の前面側へ引き出された部分は光コネクタ９２（図１５参照）によってコネクタ接続可能に成端されており、成端部３の光モジュール３１へ前面側より導入して光コネクタアダプタ３３に切り替え可能にコネクタ接続することができる。搭載枠５内に挿通された光ファイバ９１は、搭載枠５内に収容された光ファイバ保持体６と配線用エレメント７とに保持されており、配線用エレメント７から架前面側の所望の方向に引き出すようにして配線される。
前記光ファイバ９１は、成端部３内の各光モジュール３１の光コネクタアダプタ３３に対して選択的にコネクタ接続できる。これにより光モジュール３１にて、光ファイバ配線部４Ａ側の光ファイバケーブル９から口出ししている光ファイバ９１と、成端部３側の光ファイバケーブル８から口出ししている光ファイバ８１とが光接続される。
【００１８】
なお、光ファイバ９１は、この実施形態では、多心又は単心の光ファイバコードであるが、これに限定されず、多心又は単心の光ファイバ心線等であっても良い。図２（ａ）等に示すように、光ファイバ８１，９１は、光ファイバ配線部４の背面側に導入された光ファイバケーブル８，９から口出しされたものであるが、本発明において、これら光ファイバ８１，９１は、必ずしも、光ファイバケーブルから口出しされたものである必要はなく、例えば、光用架体に外側から引き込まれた光ファイバ（例えば、光ファイバコード、光ファイバ心線等）自体であっても良い。また、これら光ファイバ８１，９１を架体に引き込むための、光ファイバケーブル８，９の架本体への導入位置も、図２（ａ）に例示したものに限定されるものではない。
【００１９】
図１（ａ）中、符号２１は、搭載枠５と成端部３との間に確保された余長収納空間であり、搭載枠５から成端部３へ引き込み配線した光ファイバ９１の余長９３が取り出し可能に収納される。この余長収納空間２１では、光ファイバ９１の余長９３が、湾曲維持用部材（図示略）等によって、光特性に悪影響を与えない湾曲半径を維持して収納される。
図２（ａ）に示すように、架体背面側に設置された余長収納ボックス２２は、光ファイバケーブル８から口出しされた光ファイバ８１に確保した余長８３を取り出し可能に収納するものである。
【００２０】
本発明では、このように、光ファイバケーブル９から口出しされている光ファイバ９１に、別途、ジャンパコードを接続する従来構成とは異なり、光ファイバ９１は、搭載枠５の開口部５１に挿通されて搭載枠５を貫通して配線されて、背面側から前面側に引き出されており、直接成端部３に引き込んで、光モジュール３１の光コネクタアダプタ３３に対して切り替え可能にコネクタ接続できるようになっている。
【００２１】
次に本発明の要旨となる光ファイバ配線部４Ａを構成する搭載枠５、光ファイバ保持体６、配線用エレメント７について、光ファイバ保持体６と配線用エレメント７の搭載枠５への収納方法も含めてより詳しく説明する。
図３は、光ファイバ保持体６と配線用エレメント７が搭載枠５に収容された状態を示す概略上面図である。図３において、紙面上側が架本体２の背面側であり、紙面上下側が架本体２の前面側である。
【００２２】
図４は、搭載枠５の一例を示す背面図であり、図５は、図４中Ａ−Ａ’線での断面図を示す。搭載枠５は、背面側から前面側まで貫通した開口部５１を有する角筒状のものである。なお、この搭載枠５は、ボルト等の固定手段によって架本体２に固定したり、架本体２に設けられた棚上に搭載することなどによって、架本体２に搭載される。
また、図４に示されたように、搭載枠５の背面側には、保持体係合部５３と孔開き板５４とが設けられている。これら保持体係合部５３と孔開き板５４とは、搭載枠５の開口部５１を介して両側に対向位置されている。
【００２３】
図４において、左右を横方向、上下を縦方向とすると、保持体係合部５３と孔開き板５４は開口部５１を介して横方向に対向して位置する。保持体係合部５３は、図４右側の搭載枠５側壁から開口部５１内に張り出す板状の部材であって、搭載枠５の右側壁部５２ａに沿って該右側壁部５２ａの上下方向全体に渡って延在している。また、孔開き板５４は、図４左側の搭載枠５の左側壁部５２ｂから開口部５１内に張り出す板状の部材であり、左側壁部５２ｂに沿って該左側壁部５２ｂの上下方向全体にわたって延在している。この孔開き板５４には、複数の孔５４ａが該左側壁部５２ｂの延在方向に沿って配列して形成されている。
前記保持体係合部５３と孔開き板５４は、搭載枠５に挿入、収納した光ファイバ保持体６と係合して、搭載枠５の背面側への移動を規制するストッパ部として機能するとともに、この実施形態では、光ファイバ保持体６を搭載枠５内でガタ付かないように安定支持するための保持手段としても機能する。
【００２４】
この搭載枠５の内側面５５には、図５に示されたように、搭載枠５の前面から背面に向かって延びるガイド突条５６が上下に多段に設けられている。上下のガイド突条５６の間に形成された収納溝５７は、搭載枠５の前面から背面に向かって延在形成されている。搭載枠５の開口部５１に挿入された光ファイバ保持ユニット１０（本実施形態において具体的には光ファイバ保持体６）は、横方向両端部を搭載枠５の横方向両側の収納溝５７によってほぼ水平に支持されるようになっている。これにより、搭載枠５には、複数の光ファイバ保持ユニット１０を上下に多段に搭載できるようになっている。
【００２５】
なお、搭載枠としては、収納溝、あるいは、搭載枠の開口部に挿入された光ファイバ保持体６を支持するための支持突起（前述のガイド突条等）が形成された一対の側壁部を有し、この両側の側壁部の収納溝あるいは支持突起によって、該一対の側壁部の間の開口部（換言すれば光ファイバ保持体が挿入、収容される空間）に挿入された光ファイバ保持体６を保持できる構成であればよく、前述した角筒状の構成に限定されない。また、この実施の形態では、搭載枠として、上下方向に延在する一対の側壁部（右側壁部５２ａと左側壁部５２ｂ）に、光ファイバ保持ユニット１０を支持するための収納溝５７が上下に多段に形成されたものを例示しているが、本発明はこれに限定されず、収納溝５７が形成される一対の側壁部の延在方向が例えば水平方向になっているもの等でも良く、一対の側壁部の延在方向の向きには限定は無い。また、収納溝５７は、搭載枠の前後方向（背面側と前面側とを結ぶ方向。図５（ａ）奥行き方向、図５（ｂ）左右方向）に沿って延在するものであれば良く、必ずしも、側壁部の延在方向に対して直交する方向に延在するものである必要は無い。
【００２６】
収納溝５７や支持突起は、搭載枠５の一対の側壁部に直接形成されたものに限定されず、例えば、搭載枠は、スチール板等の金属板によって形成された一対の側壁部に接合したインナープレートに形成されたもの等であっても良い。この場合は、インナープレートが接合された側壁部によって、搭載枠の側壁部が構成される。インナープレートは、例えばプラスチック等の樹脂製のもの等を採用できる。例えば、インナープレートとして、保持体係合部５３又は孔開き板５４が一体に形成されたものを採用することができ、この場合は、インナープレートを搭載枠の側壁部に取り付けるだけで、これに一体の保持体係合部５３や孔開き板５４も搭載枠に簡単に設けることができる。
また、光ファイバ保持体６や、配線用エレメント７の構成や寸法等に対応して、適宜、これら光ファイバ保持体６や、配線用エレメント７の安定支持に適したインナープレートを選択使用することも可能である。
【００２７】
図６（ａ）、（ｂ）は、光ファイバ保持体６の構造を示す図であって、（ａ）は光ファイバ保持体６のカバー６Ｃを開いた状態を示す平面図、（ｂ）は側面図である。また、図７は、光ファイバ保持体６の保持体本体６の一例を示す図であり、（ａ）は平面図、（ｂ）は図７（ａ）中Ｂ−Ｂ’線での断面図、（ｃ）はエレメント差し込み溝６９ａ付近を保持体本体６前面側から見た図、図８は光ファイバ保持体６を光ファイバ９１に取り付け、カバー６Ｃを閉じた状態を示す平面図である。
光ファイバ保持体６は、プラスチック等の合成樹脂によって薄板状に形成された保持体本体６Ａと、この保持体本体６Ａに回転自在に連結されており、該保持体本体６Ａの上面６Ｂ上に重ね合わせることができるカバー６Ｃとを有している。図６（ｂ）中、符号６Ｃ２は、保持体本体６Ａに対してカバー６Ｃを回転自在に連結する枢軸、６Ｃ３は保持体本体６Ａに対して係脱可能に係合する係合爪であり、保持体本体６Ａとの係合によって、カバー６Ｃを保持体本体６Ａの上面６Ｂ上に重ね合わせた状態に維持する。
【００２８】
保持体本体６Ａの上面６Ｂ上には、該保持体本体上面６Ｂから窪んだ形状の光ファイバ配線溝６３が、保持体本体６Ａの背面側端面６１（搭載枠５に設置したときに架背面側に向けられる端面）から前面側端面６２（搭載枠５に設置したときに架前面側に向けられる端面）にわたって貫通して形成されている。光ファイバ配線溝６３内には、多数本の光ファイバ９１を収納可能である。
【００２９】
保持体本体６Ａ上（上面６Ｂの側）に設けられているクランプ６５は、光ファイバ配線溝６３内に収容された光ファイバ９１が光ファイバ配線溝６３から飛び出ないように押さえ込む機能を果たす。このクランプ６５は、保持体本体６Ａに対する連結部６５ａ付近に設けられている回転連結部６５ｂを中心とする回転によって、保持体本体上面６Ｂ上にて起倒する小片であり、保持体本体６Ａに重ね合わせるように倒したときに、光ファイバ配線溝６３を跨ぐように配置されて、光ファイバ配線溝６３内の光ファイバ９１を光ファイバ配線溝６３内に押さえ込む。また、光ファイバ配線溝６３を介して前記連結部６５ａと対向する位置にて保持体本体６Ａに形成されている係合穴６６に、連結部６５ａからの突出先端の係合片６５ｃを係合させることで、光ファイバ９１を光ファイバ配線溝６３内に押さえ込むことができる姿勢を維持できる。なお、クランプ６５の係合片６５ｃは、係合穴６６に対して係脱可能であり、係合片６５ｃの係合穴６６に対する係合を解除すれば、クランプ６５が回転自在となるため、これにより、光ファイバ配線溝６３からの光ファイバ９１の取り出し等の作業を行える。このクランプ６５は、光ファイバ配線溝６３に沿った複数箇所に設けられており、このクランプ６５の係合片６５と係脱可能に係合する係合穴６６も、光ファイバ配線溝６３に沿った複数箇所に形成されている。
【００３０】
光ファイバ配線溝６３の途中には、該光ファイバ配線溝６３を拡張した形状の集束リング収容凹所６３ｃが形成されており、この集束リング収容凹所６３ｃには、多数本の光ファイバ９１を集束した集束リング４を嵌め込むようにして収容できる。複数本の光ファイバ９１を光ファイバ配線９溝６３に収容する場合、光ファイバ９１と共に集束リング９４も光ファイバ９１に装着したまま、光ファイバ配線溝６３に収容でき、複数本の光ファイバ９１をばらけさせることなく、光ファイバ配線溝６３に対する収容作業を効率良く行える。また、光ファイバ配線溝６３に収容した光ファイバ９１に引っ張り力が作用した場合には、集束リング収容凹所６３ｃ内に嵌め込まれている集束リング９４が保持体本体６Ａによって保持されることで、光ファイバ９１が光ファイバ保持体６に対して移動しないように引き留められる。
【００３１】
光ファイバ保持体６に設けられている複数のクラプ６５の内、図７中符号６５’で示されたクランプは、集束リング収容凹所６３ｃに収容された集束リング９４を集束リング収容凹所６３ｃに押さえ込んで、保持体本体６Ａとの間にクランプ保持する機能を果たす。集束リング９４は、例えばゴム等の柔軟な部材で形成されて、内側に収納した複数本の光ファイバ９１を結束力を以て結束保持できるもの等を採用でき、この場合には、集束リング９４を集束リング収容凹所６３ｃに収容した集束リング９４をクランプ６５’が押圧する押圧力も集束リング９４によって光ファイバ９１を保持力の維持に機能させることができる。
【００３２】
光ファイバ配線溝６３は、略くの字状に曲がって形成されており、この構成も、該光ファイバ配線溝６３内に収容された光ファイバ９１の該光ファイバ配線溝６３の長手方向への移動を防止するためのものであり、光ファイバ９１に作用した引っ張り力に対して光ファイバ９１を位置ずれを生じないように引き留めるなどの機能を果たす。但し、「く」の字の曲がり部６３ｄ（屈曲部）付近は、光ファイバ９１の光特性に影響を与えない程度の湾曲半径を以て湾曲されている。つまり、曲がり部６３ｄが存在する光ファイバ配線溝６３であれば、光ファイバ配線溝６３内面と光ファイバ９１との接触抵抗が増大するとともに、光ファイバ９１に作用した引っ張り力が曲がり部６３ｄ内面に対する光ファイバ９１の押圧力として分散されることにより、光ファイバ９１を引っ張り力に対して位置ずれを生じないように引き留めることができる。しかも、光ファイバ配線溝６３は、該光ファイバ配線溝６３内に収容された光ファイバ９１に引っ張り力等が作用した場合でも、光ファイバ９１に光特性に損失増大等の影響が生じない程度の湾曲半径を確実に維持する機能も果たすため、光ファイバ９１に局所的な応力集中を与えることなく、光ファイバ９１を引っ張り力に対して位置ずれを生じないように引き留めることができる。なお、前述の曲がり部６３ｄのように、光ファイバ配線溝６３の曲がり部６３ｄを、光ファイバ配線溝６３の延在方向の複数箇所に形成して、引き留め力の向上を図ることも可能である。
【００３３】
光ファイバ配線溝６３の背面側端部（背面側端面６１に開口する開口部６３ａ）と前面側端部（前面側端面６２に開口する開口部６３ｂ）とは、該光ファイバ配線溝６３を拡張した形状に形成されており、光ファイバ配線溝６３内に収容した光ファイバ９１の保持体本体６Ａから外側に延出する部分を取り回しする際の可動範囲を広くとることができる。特に、前面側の開口部６３ｂは、保持体本体６Ａの前面側端面６２から、保持体本体６Ａの対向する両側の側面６４ａ、６４ｂ、すなわち、前面側端面６２の両端から背面側端面６１まで延びる一対の側面６４ａ、６４ｂの内の一方（ここでは符号６４ｂの側面）にわたって開口するように大きく拡張した形状に形成されており、例えば、図９に示すように、前面側の開口部６３ｂから延出された光ファイバ９１を、光ファイバ配線溝６３から側面６４ｂにわたって延在する開口部６３ｂ内面（湾曲面）に沿わせるようにして湾曲、反転させるようにして、光ファイバ保持体６の一方の側面６４ｂに沿わせるように配線させることができる。なお、前記側面６４ｂから光ファイバ配線溝６３（前面側開口部６３ｂの無い部分を指す）にわたって延在する前面側開口部６３ｂ内面は、湾曲面に形成されており、前面側の開口部６３ｂから延出された光ファイバ９１を湾曲、反転させるようにして、光ファイバ保持体６の一方の側面６４ｂに沿わせるように配置させた場合でも、光ファイバ９１を光特性に悪影響を与えない程度の湾曲半径を確保できる。
【００３４】
図７に示すように、光ファイバ保持体６の背面側には、搭載枠５の保持体係合部５３に対して係合される引掛け部６７と、搭載枠５の孔開き板５４に対して係合される係合突部６８とが設けられている。引掛け部６７と係合突部６８とは、保持体本体６Ａの背面側端面６１の長手方向（図７左右）両端に対向配置（すなわち、背面側端面６１において、引掛け部６７は側面６４ａの側、係合突部６８は側面６４ｂの側に配置されている）されており、図４等に示すように、光ファイバ保持体６を搭載枠５に収納したとき（ここでは、図３あるいは図１３等に示すように、光ファイバ保持体６の内、保持体係合部５３に対する引掛け部６７の係合、及び、孔開き板５４に対する係合突部６８に必要な部分を除いて、光ファイバ保持体６の大部分が搭載枠５に収納された状態を「収納」と称する）には、搭載枠５の左右両側に対向配置される。
この引掛け部６７と係合突部６８とは、光ファイバ保持体６を搭載枠５の開口部５１に挿入したときに搭載枠５１に係合（具体的には、保持体係合部５３又は孔開き板５４に対する係合）して、光ファイバ保持体６の搭載枠５背面側への移動を規制するストッパ用係合部として機能するものである。
【００３５】
図３，図１３に示すように、前記した光ファイバ保持体６の前面側には、配線用エレメント７が接続、合体できるようになっている。この配線用エレメント７は、プラスチック等の合成樹脂によって薄板状に形成されたエレメント本体７Ａと、このエレメント本体７Ａに設けられた回転軸７１によってエレメント本体７Ａに対して回転自在に枢着された可動アーム７２とを有している。
可動アーム７２は、配線用エレメント７を搭載枠５に収納したとき（図１（ｂ）に示す状態）に、エレメント本体７Ａに対して架前面側に配置されるようになっており、しかも、図３に示すように、前記回転軸７１を中心として搭載枠５の前後方向にほぼ直交する方向の軸線を以て回転（この実施形態では上下方向の軸線を中心とする回転）することによって、搭載枠５に対する可動アーム７２の向きを変更できる。
【００３６】
可動アーム７２には、配線用エレメント７に合体される光ファイバ保持体６から前面側端面６２の側に延出されている光ファイバ９１を保持する光ファイバ保持部７３が設けられている。
前記光ファイバ保持部７３は、可動アーム７２に形成された光ファイバ収容溝７４と、この光ファイバ収容溝７４に収容された光ファイバ９１が光ファイバ収容溝７４から飛び出ないように押さえ込む保持片７５とを有して構成されている。前記光ファイバ収容溝７４は、可動アーム７２を貫通して形成されており、しかも、多数本の光ファイバ９１を収容できるようになっている。保持片７５は、光ファイバ収容溝７４上を覆うように配置された小片であり、この保持片７５を光ファイバ収容溝７４から押し上げるようにして、光ファイバ収容溝７４を開放することで、光ファイバ収容溝７４に対する光ファイバ９１の収容や取り出し等の作業を行うことが可能である。
【００３７】
配線用エレメント７は、光ファイバ保持体６から架体前面側に引き出される光ファイバ９１を、可動アーム７２の光ファイバ保持部７３に保持し、しかも、前記回転軸７１を中心とする可動アーム７２の回転によって、光ファイバ９１の搭載枠５から架体前面側に引き出された部分の配線方向（換言すれば、搭載枠から架前面側への引き出し方向）の選択、切り替え、変更等を容易に行えるようにする機能を果たす。
なお、配線用エレメント７としては、搭載枠５から架体前面側に引き出された光ファイバの配線方向の選択、切り替え、変更を簡単に行えるようにする構成であれば良く、前述した可動アーム７２のように、架体前面側にて光ファイバを保持したまま回転することで光ファイバの配線方向を変更、設定する部材を備える構造の他、例えば、架体前面側に突出されたアーム（図示略）の複数箇所に設けられている光ファイバ保持部を選択して、光ファイバを保持することで、光ファイバの配線方向を設定できる構造を有するもの等、各種構成を採用できる。
【００３８】
光ファイバ保持体６は、搭載枠５の背面側から開口部５１に挿入して、保持体本体６Ａに設けられている係合部（後述の引掛け部６７、係合突部６８）を搭載枠５に係合させることで、搭載枠５内の所定位置に収納、設置できる。また、この光ファイバ保持体６は、光ファイバ９１を保持したまま搭載枠５の開口部５１を通過させることができるため、光ファイバ９１を保持したまま搭載枠５の背面側から開口部５１に挿入して、搭載枠５の前面側に取り出すことで、光ファイバ９１を搭載枠５の開口部５１に挿通させることに利用できる。
【００３９】
光ファイバ保持体６を利用して、搭載枠５の開口部５１に光ファイバ９１を挿通するには、まず、光ファイバ保持体６の光ファイバ配線溝６３（図６（ａ），図７参照）に光ファイバ９１を収容して、クランプ６５を用いて押さえ込み、光ファイバ９１の途中に光ファイバ保持体６を取り付けた状態（図８参照）とし、図９に示すように、この光ファイバ保持体６を搭載枠５の背面側から開口部５１に挿入する。
このとき、光ファイバ保持体６は、カバー６Ｃを、保持体本体６Ａの上面６Ｂ上に重ね合わせた状態で、開口部５１への挿入作業を行う。保持体本体６Ａの上面６Ｂ上に重ね合わせたカバー６Ｃは、保持体本体上面６Ｂのほぼ全体を覆うようになっており、光ファイバ保持体６を開口部５１に挿入したり、開口部５１を通過させたりする作業において、開口部５１内での障害物（例えば既設の光ファイバ保持体等）に光ファイバ９１が引っ掛かること等を防止する機能を果たす。また、カバー６Ｃは、保持体本体上面６Ｂに重ね合わせたときに光ファイバ保持体６の外面を形成する側の面が、平滑面を形成するため、これによっても、光ファイバ保持体６の開口部５１に対する挿入、通過の作業において、開口部内の障害物との引っ掛かりを抑えることができ、作業性の向上に寄与する。
【００４０】
なお、図６において、カバー６Ｃには、該カバー６Ｃを保持体本体上面６Ｂに重ね合わせたときに、クランプ６５の保持体本体上面６Ｂ上に突出した部分を収容するためのクランプ収容孔６Ｃ１が開口されているが、保持体本体上面６Ｂ上の突出部（前述のクランプ６５等）との干渉を回避するための手段として、例えば、カバー６Ｃの保持体本体６Ａに重ね合わされる側の面に形成した溝等を採用して、前記クランプ収容孔６Ｃ１等の開口部の形成を省略することで、カバー６Ｃ上の凹凸を減少させることも可能であることは言うまでも無い。
【００４１】
光ファイバ保持体６の背面側端面６１から前面側端面６２までの距離Ｌは、搭載枠５の突出部５３と孔開き板５４との間隔Ｗよりも短いため、光ファイバ保持体６は、背面側端面６１と前面側端面６２とが、搭載枠５の左右両側に対向配置されるようにし（すなわち、保持体本体６Ａの両側面６４ａ，６４ｂの内の一方（図９では、符号６４ａの側面）が挿入方向前側、他方が挿入方向後側となる姿勢）、すなわち、背面側端面６１を搭載枠５の左右いずれかの側壁部の収納溝５７に対面させ、搭載枠５において前記背面側端面６１が対面された収納溝５７に対して開口部５１を介して対向する収納溝５７に前面側端面６２を対面させた姿勢（以下、この姿勢を「挿入姿勢」とも言う）によって搭載枠５の開口部５１に挿入することが可能であり、さらに、開口部５１を通して搭載枠５を通過させて搭載枠５から前面側へ取り出すことができるようになっている。
【００４２】
例えば搭載枠５内の既設の光ファイバ保持ユニット１０など、搭載枠５内に存在する障害物が少なく、開口部５１内に光ファイバ保持体６の挿入のための作業スペースを充分に確保できる場合には、必ずしも、上述した挿入姿勢によって、挿入作業を行う必要は無い。
但し、上述した挿入姿勢によって、開口部５１へ光ファイバ保持体６を挿入し、搭載枠５を通過させる場合は、光ファイバ保持体６の背面側、前面側の端面６１，６２が対面される一対の収納溝５７の領域を介して搭載枠５背面側から前面側への光ファイバ保持体６の通過が可能になっていれば良く、例えば、搭載枠５内の既設の光ファイバ保持ユニット１０の存在等によって、光ファイバ保持体６の挿入、通過用の作業スペースが非常に狭い場合でも、搭載枠５に対する光ファイバ保持体６の挿入、通過の作業を行える利点がある。また、この場合、既に述べたように、光ファイバ保持体６の保持体本体上面６Ｂを覆うカバー６Ｃによって、光ファイバ保持体６に平滑面を形成しておくことで、搭載枠５に対する光ファイバ保持体６の挿入、通過の作業性の向上や、光ファイバ保持体６に保持した光ファイバ９１の保護（作業中に曲げ等を与えて傷めることの防止など）などを実現できることは言うまでもない。
【００４３】
さらに、搭載枠５に対する係合、搭載（収容）の完了した光ファイバ保持体６は、前記カバー６Ｃを閉じたままにしておくことで、搭載枠５の開口部５１に対する別の光ファイバ保持体６の挿入作業の邪魔にならない。例えば、搭載枠５に対する光ファイバ保持体６の挿入、収容作業を、搭載枠５の下段から順次、上段となるように進めていく場合、開口部５１に挿入する光ファイバ保持体６に、既設の光ファイバ保持体６との引っ掛かりが生じることを極力防止でき、作業性を向上できる。
【００４４】
上述した挿入姿勢によって、開口部５１へ光ファイバ保持体６を挿入したり、搭載枠５を通過させる場合、図９等に示すように、光ファイバ９１の光ファイバ配線溝６３の両端から引き出されている部分を、光ファイバ配線溝６３を拡張した形状の開口部６３ａ、６３ｂを利用して湾曲させることで、開口部５１への光ファイバ保持体６の挿入や通過等を作業中でも、光特性に影響を与えない程度の湾曲半径（例えば３０ｍｍを下限とする湾曲半径）の確保を容易に実現できる。特に、前面側の開口部６３ｂから延出された光ファイバ９１は、光ファイバ配線溝６３から側面６４ｂにわたって延在する開口部６３ｂ内面（湾曲面）に沿わせるようにして湾曲、反転させるようにして、光ファイバ保持体６の一方の側面６４ｂに沿わせるように取り回すことができ、いわば、保持体本体６Ａの側面６４ｂから引き出した状態とすることができるから、これにより、開口部５１への光ファイバ保持体６の挿入や通過等を上述した挿入姿勢で行う場合でも、搭載枠５の側壁部（図９では、符号５２ｂの側壁部）と光ファイバ９１との干渉を確実に回避できる。また、光ファイバ９１先端の光コネクタ９２を光ファイバ保持体６付近に配置したまま、挿入姿勢での開口部５１への光ファイバ保持体６の挿入や通過等を行うことも容易になる。
【００４５】
図１０に示されたように、搭載枠５の開口部５１に通した光ファイバ保持体６を、搭載枠５から前面側に取り出せば、開口部５１への光ファイバ保持体６の挿入とともに開口部５１内に引き込まれてきた光ファイバ９１が、開口部５１に、搭載枠５の背面側から前面側へ引き通すようにして挿通されるため、搭載枠５の背面側にあった光ファイバ９１を搭載枠５の前面側に引き出す作業を非常に簡単に行うことができる。搭載枠５前面側へ光ファイバ９１が引き出されれば、架前面側での光ファイバ９１の配線が可能となる。
【００４６】
図１３に示すように、光ファイバ保持体６の引掛け部６７及び係合突部６８を搭載枠５に係合させると、光ファイバ保持体６の搭載枠５背面側へのそれ以上の移動が規制される。引掛け部６７及び係合突部６８は、光ファイバ保持体６の搭載枠５背面側への移動を規制するストッパ用係合部として機能する。
引掛け部６７及び係合突部６８の搭載枠５に対する係合は、具体的には、搭載枠５の保持体係合部５３に対する引掛け部６７の係合と、搭載枠５の孔開き板５４に対する係合突部６８の係合である。ここで、引掛け部６７及び係合突部６８を搭載枠５に対する係合手順と、引掛け部６７及び係合突部６８の具体的構造例とを説明する。
【００４７】
図７等に示すように、引掛け部６７は、保持体本体６Ａに側面６４ａから切り込まれた形状の凹溝６７ａが形成されている部分である。引掛け部６７を保持体係合部５３に係合させるには、搭載枠５の背面側に移動させた光ファイバ保持体６を保持体係合部５３に向けて押し込むようにし、引掛け部６７の凹溝６７ａに保持体係合部５３が挿入されるようにすれば良い。
但し、この実施形態に例示した光ファイバ保持体６の係合突部６８は、孔開き板５４に対して背面側から係合される構造のものであるため、引掛け部６７の保持体係合部５３に対する係合は、係合突部６８を孔開き板５４よりも背面側に位置させた状態で行い、引掛け部６７と保持体係合部５３との係合部を中心して光ファイバ保持体６を回転させるようにして、係合突部６８を孔開き板５４に押し込むようにして係合させるようになっている。
【００４８】
引掛け部６７の凹溝６７ａは、保持体本体６Ａの側面に開口する開口部６７ｂ付近が、該凹溝６７ａに挿入された保持体係合部５３を両側から挟み込む狭隘部になっており、保持体本体６Ａの側面に対して開口部６７ｂよりも奥側に位置する部分が、開口部６７ｂよりも拡張された形状の拡張部６７ｃになっており、光ファイバ保持体６を、凹溝６７ａに保持体係合部５３を収納したまま、光ファイバ保持体６を開口部６７ｂ付近（具体的には、保持体係合部５３の内、凹溝６７ａの開口部６７ｂに収納されている部分）を中心として回転させる際に、凹溝６７ａの拡張部６７ｃに挿入されている保持体係合部５３先端（搭載枠開口部５１への突出先端）が障害にならないようになっている。
保持体係合部５３に引掛け部６７を挿入した後、係合突部６８の孔開き板５４に対して押し込むような係合作業を行う際には、光ファイバ保持体６を、保持体係合部５３に対する引掛け部６７の挿入、係合状態を維持したまま、凹溝６７ａの開口部６７ｂを中心として回転するように変位させることができる。しかも、光ファイバ保持体６は、開口部６７ｂに保持体係合部５３を挟み込んだ状態のまま回転するので、回転作業中の光ファイバ保持体６のガタ付きが抑えられ、さらに、孔開き板５４に対する係合突部６８の係合作業が完了したときにも、光ファイバ保持体６の搭載枠５（具体的には保持体係合部５３）に対するガタ付きを防止して、安定な係合状態を維持できる。
但し、引掛け部の具体的構造は、少なくとも、搭載枠５との係合によって、光ファイバ保持体６の搭載枠５背面側への移動を規制できるものであれば良く、また、より好ましくは、搭載枠５に対する光ファイバ保持体６をガタ付かせること無く安定支持できる構造であり、必ずしも、前述のように搭載枠５に対して光ファイバ保持体６を回転支持できる構造である必要はなく、係合突起の構造等に対応して適宜変更可能である。
【００４９】
図１４（ａ），（ｂ）は、係合突部６８付近（図１３中、一点鎖線で囲まれた部分）の拡大図であり、図１４（ａ）は平面図、図１４（ｂ）は背面図である。
前記係合突部６８は、光ファイバ保持体６の保持体本体６Ａに突設された突起であり、保持体本体６Ａの背面側端部から、保持体本体６Ａの側面６４ｂに突出するように形成されている。この係合突部６８は、保持体本体６Ａに突設された突壁である基端部６８ａと、この基端部６８ａの側面から引掛け部６７の方向に向かって突出するアーム部６８ｂと、このアーム部６８ｂの前記基端部６８ａからの突出先端部６８ｃから光ファイバ保持体６の前面側に向けて延びる弾性爪６８ｄと、アーム部６８ｂの前記基端部６８ａからの突出先端部６８ｃから前記弾性爪６８ｄとは逆方向に延びるレバー部６８ｅと、前記基端部６８ａから光ファイバ保持体６の前面側に向けて突出された位置決め突起６８ｆとを有している。
そして、この係合突部６８は、孔開き板５４に対して背面側から押し込まれることで、孔開き板５４の孔５４ａに位置決め突起６８ｆが挿入されるとともに、孔開き板５４の搭載枠開口部５１への突出先端に弾性爪６８ｄが係合されるようになっており、これにより、光ファイバ保持体６を搭載枠５に対してぐらつかないように安定支持できるようになっている。
なお、この実施形態では、孔開き板５４に対する係合突部６８の押し込み、係合は、保持体係合部５３に対して引掛け部６７を係合した状態で行うようになっている。
【００５０】
孔開き板５４に対する弾性爪６８ｄの係合は、具体的には、アーム突出先端部６８ｃからの弾性爪６８ｄの突出先端に突設されている先端突起６８ｇが、孔開き板５４に対して前面側から係合することであり、これにより、孔開き板５４先端部（搭載枠開口部５１へ突出する先端部）がアーム部６８ｂと先端突起６８ｇとの間に挟み込まれるようになり、搭載枠５（具体的には孔開き板５４）に対して光ファイバ保持体６がガタ付かないように安定支持される。
孔開き板５４先端部には、搭載枠５前面側に向かって突出する弾性爪係合部５４ｂが形成されており、前記弾性爪６８ｄは、具体的には、弾性爪係合部５４ｂに対して前面側から先端突起６８ｇを係合させ、この先端突起６８ｇとアーム部６８ｂとの間に弾性爪係合部５４ｂを挟み込むようになっている。さらに、弾性爪６８ｄが、孔開き板５４の孔５４ａに挿入された位置決め突起６８ｆとの間に孔開き板５４を挟み込むようになることで、これによっても、搭載枠５（具体的には孔開き板５４）に対する光ファイバ保持体６の安定支持を実現できる。
【００５１】
レバー部６８ｅは、この係合突部６８を孔開き板５４に係合させたときに、係合突部６８から背面側に突出する向きに配置されるようになっており、搭載枠５背面側からレバー部６８ｅを操作することで、孔開き板５４に対する係合突部６８の係合を解除できる。弾性爪６８ｄとレバー部６８ｅとは、連続する一本の細長の可動片６８ｈを形成しており、レバー部６８ｅの操作によって可動片６８ｈを動かすことで、孔開き板５４に対する弾性爪６８ｄの係合を解除でき、孔開き板５４から該孔開き板５４の背面側へ係合突部６８を離脱できるようになる。
具体的には、図１４（ａ）中、矢印Ｍの方向にレバー部６８ｅを移動させるように操作すると、アーム部６８ｂの突出先端部６８ｃによって支持されている可動片６８ｈが、アーム部６８ｂの突出先端部６８ｃを中心として回転することで、弾性爪６８ｄがアーム部６８ｂとは逆の方向に変位することとなり、これにより孔開き板５４から弾性爪６８ｄが離脱して、孔開き板５４に対する弾性爪６８ｄの係合が解除される。
【００５２】
なお、搭載枠５の保持体係合部５３に対する引掛け部６７の係合は、保持体本体６Ａの側面６４ａの付近を搭載枠５の収納溝５７に位置決め、挿入した状態で行い、その後、搭載枠５の孔開き板５４に対する係合突部６８の係合は、保持体本体６Ａの側面６４ｂの付近を、搭載枠５の収納溝５７に挿入した状態で行うようになっており、搭載枠５の保持体係合部５３に対する引掛け部６７の係合、及び、搭載枠５の孔開き板５４に対する係合突部６８の係合が完了したときには、光ファイバ保持体６は、開口部５１を介して対向する収納溝５７の対によって支持された状態となる。
【００５３】
光ファイバ保持体６の搭載枠５に対する収納、係合が完了したら、搭載枠５前面側から開口部５１に配線用エレメント７を挿入して、光ファイバ保持体６に対して合体させる。配線用エレメント７のエレメント本体７Ａの背面側端部に形成されている合体用係合部７６（係合爪）は、光ファイバ保持体６の合体用係合部６９（係合突起）に対して、前面側からの押し込みよって係合させることができ、この合体用係合部６９、７６同士の係合によって、配線用エレメント７と光ファイバ保持体６とが合体された光ファイバ保持ユニット１０が組み立てられる。また、光ファイバ保持体６の光ファイバ配線溝６３から前面側端面６２に引き出されている光ファイバ９１を、配線用エレメント７の光ファイバ保持部７３に保持することで、搭載枠５に挿通された光ファイバ９１の搭載枠５からの引き出し方向を、容易に設定できる。
【００５４】
図３，図１３等に例示した構成では、配線用エレメント７側の合体用係合部７６は、配線用エレメント７の背面側に突出するように固定して取り付けられる合体用突出部７７に形成されており、配線用エレメント７は、合体用突出部７７を、光ファイバ保持体６の保持体本体６Ａに形成されているスリット状のエレメント差し込み溝６９ａ（図６（ａ）、（ｂ）参照）に、保持体本体６Ａの前面側端面６２における前記エレメント差し込み溝６９ａの開口部から挿入することで、合体用係合部６９、７６同士を係合させることができ、しかも、合体用突出部７７がエレメント差し込み溝６９ａ内でぐらつかないように安定保持されることで、光ファイバ保持体６に対して配線用エレメント７がぐらつかないようにしっかりと取り付けられる。
なお、図１３中、係合爪７Ａ１や固定用ネジ７Ａ２は、エレメント本体７Ａに合体用突出部７７を固定するための固定部材である。図３、図１３等では、合体用突出部７６は、配線用エレメント７のエレメント本体７Ａに対して固定される別体のアタッチメントになっているが、本発明ではこれに限定されず、エレメント本体７Ａに一体に形成されたものでも良い。
【００５５】
本発明によれば、光用架体１００の背面側に導入された光ファイバ９１を、搭載枠５の背面側から前面側へ搭載枠５に引き通すようにして配線して、コネクタ接続や中継用の光ファイバを介することなく、搭載枠５からその前面側に引き出した光ファイバ９１を所望の方向に配線する構造であるため、コネクタ接続や中継用の光ファイバを介する従来構造に比べて、光ファイバの配線に関わる部品点数の削減、低コスト化が容易である。また、接続箇所の減少によって、接続による光損失を抑えることができる利点もある。搭載枠５に挿通されて搭載枠５前面側に引き出された光ファイバ９１が多数本であっても、各光ファイバ９１が、光ファイバ保持ユニット１０によって保持されることで、搭載枠５前面側では光ファイバ９１は整然と整理して配線されることとなり、搭載枠５からの引き出し方向の変更、配線位置の変更などの作業を容易に行える等の利点があることは、言うまでもない。
【００５６】
搭載枠５に対して光ファイバ９１を引き通す作業は、光ファイバ９１に取り付けた光ファイバ保持体６を搭載枠５に挿入、あるいは、通過させることで、効率良く行うことができ、しかも、搭載枠５に通された光ファイバ９１は、搭載枠５に係合させて収容した光ファイバ保持体６によって保持されるため（光ファイバ配線溝６３の集束リング収容凹所６３ｃに嵌め込むようにして収容された集束リング９４による光ファイバ９１の保持、及び／又は曲がり部６３ｄによる光ファイバ９１の引き留め機能）、例えば、引っ張り力によって、搭載枠前面側あるいは背面側へ引き出されてしまうといった不都合を防止でき、搭載枠前面側あるいは背面側への引き出し長を安定維持できる等の利点もある。
【００５７】
光ファイバ保持体６と配線用エレメント７とを合体して得られた光ファイバ保持ユニット１０は、光ファイバ保持体６の係合突部６８や引掛け部６７の搭載枠５に対する係合を解除することで、光ファイバ保持体６と配線用エレメント７とが合体した状態を維持したまま、搭載枠５の背面側に引き出すようにして抜き出すことができる。この実施形態では、搭載枠５の孔開き板５４に対する係合突部６８の係合をレバー部６８ｅの操作によって解除し、光ファイバ保持ユニット１０を、搭載枠５の保持体係合部５３に係合している光ファイバ保持体６の引掛け部６７の凹溝６７ａの開口部６７ｂを中心とする回転によって、搭載枠５の背面側に引き出すように回転移動させることで、光ファイバ保持ユニット１０を搭載枠５から引き出すようにして抜き出すことができる。配線用エレメント７の合体用突出部７７の光ファイバ保持体６に対する固定位置は、光ファイバ保持体６の保持体本体６Ａの側面６４ｂ（つまり、係合突部６８が突出されている側の側面）から離れており、光ファイバ保持体６に固定した配線用エレメント７は、搭載枠５の保持体係合部５３に係合している光ファイバ保持体６の引掛け部６７の凹溝６７ａの開口部６７ｂを中心とする回転の支障にならないようになっている。なお、搭載枠５に対する光ファイバ保持体６のストッパ用係合部として、搭載枠５に対して係合解除したときに搭載枠５の背面側へ引き抜くようにして離脱できるもの（例えば前述の係合突部６８）のみを採用した場合は、搭載枠５からの光ファイバ保持ユニット１０の離脱操作（抜き出し）を一層簡単にできる。
【００５８】
なお、光ファイバ保持体や配線用エレメントや搭載枠等の具体的構造、形状等は、前述した実施形態に記載したものに限定されず、適宜変更可能である。
光用架体の成端部は、光モジュールの光コネクタアダプタ（接続部）によって、光ファイバ同士の接続を実現する構成に限定されず、光ファイバ同士の接続部が設置される構成であれば良く、例えば、光ファイバ同士の接続部として採用した融着接続部等を収納する構造等、各種構成を採用可能である。
光ファイバ保持体の適用対象の光配線ユニットとしては、前述の搭載枠や、該搭載枠が組み込まれた光用架体に限定されず、該光ファイバ保持体の挿入、収容が可能な搭載枠を有する各種構成の光配線ユニットに適用できる。
また、本発明に係る光ファイバ保持体は、光配線ユニットに収容、搭載されるものに限定されない。例えば、管路や建物の壁内といった狭隘な場所への光ファイバの引き込み、光ファイバの支持などにも利用でき、また、光ファイバ保持体を支持するための構成としては特に限定は無い。
【００５９】
【発明の効果】
以上詳細に説明したように、本発明によれば、保持体本体の光ファイバ配線溝に光ファイバを収容してクランプで固定するだけで、光ファイバ保持体に光ファイバを簡単に保持させることができ、これにより、光ファイバ保持体を、光ファイバを引き留めるための部材（引き留め部材）や、光ファイバの引き込み作業用の部材（引き込み部材）として機能させることができる。例えば、光ファイバ保持体を収容、搭載する搭載枠に光ファイバ保持体を挿入したり、通過させることで、光ファイバを搭載枠の背面側から前面側へ搭載枠に引き通すようにして配線する作業を容易に行うことができ、光ファイバ保持体を引き込み部材として有効に機能させることができる。
【図面の簡単な説明】
【図１】本発明の光用架体の一例を示す概略図であり、（ａ）は前面図であり、（ｂ）は（ａ）中のＸ−Ｘ矢視図である。
【図２】本発明の光用架体の一例を示す概略図であり、（ａ）は背面図であり、（ｂ）は（ａ）中のＹ−Ｙ矢視図である。
【図３】搭載枠に収容された光ファイバ保持体と薄板状の配線用エレメントの一例を示す概略図である。
【図４】搭載枠の一例を示す背面図である。
【図５】図４中Ａ−Ａ’線での断面図である。
【図６】光ファイバ保持体の構造を示す図であって、（ａ）は光ファイバ保持体のカバーを開いた状態を示す平面図、（ｂ）は側面図である。
【図７】光ファイバ保持体の保持体本体６の一例を示す図であり、（ａ）は平面図、（ｂ）は図７（ａ）中Ｂ−Ｂ’線での断面図である。
【図８】光ファイバ保持体を光ファイバに取り付け、カバーを閉じた状態を示す平面図である。
【図９】搭載枠の背面側にて、光ファイバ保持体を光ファイバに取り付けた状態を示す平断面図である。
【図１０】図９の光ファイバ保持体を搭載枠の開口部に挿入、通過させて、搭載枠の前面側に取り出した状態を示す平断面図である。
【図１１】図１０の光ファイバ保持体を搭載枠前面側から搭載枠の開口部に挿入した状態を示す平断面図である。
【図１２】光ファイバ保持体の引掛け部を搭載枠の保持体係合部に係合させた状態を示す平断面図である。
【図１３】光ファイバ保持体の引掛け部と係合突部とを搭載枠に係合させた状態を示す平断面図である。
【図１４】（ａ）は図１３中、一点鎖線で囲まれた部分の拡大図であり、（ｂ）はその背面側から見た図である。
【図１５】本発明の光用架体の一例を示す配線図である。
【図１６】従来の光用架体の一例を示す概略図であり、（ａ）は前面図であり、（ｂ）は（ａ）中のＸ−Ｘ矢視図である。
【図１７】従来の光用架体の一例を示す配線図である。
【符号の説明】
５…搭載枠，光配線ユニット、６Ａ…保持体本体、６Ｂ…保持体本体上面、９１…光ファイバ、６…光ファイバ保持体、６Ｃ…カバー、６３…光ファイバ配線溝、６３ｃ…集束リング収容凹所、６３ｄ…曲がり部、６４…集束リング、６５、６５’…クランプ、９１…光ファイバ、１００…光配線ユニット（光用架体）
【図１】
2004309730.tif 000003
【図２】
2004309730.tif 000004
【図３】
2004309730.tif 000005
【図４】
2004309730.tif 000006
【図５】
2004309730.tif 000007
【図６】
2004309730.tif 000008
【図７】
2004309730.tif 000009
【図８】
2004309730.tif 000010
【図９】
2004309730.tif 000011
【図１０】
2004309730.tif 000012
【図１１】
2004309730.tif 000013
【図１２】
2004309730.tif 000014
【図１３】
2004309730.tif 000015
【図１４】
2004309730.tif 000016
【図１５】
2004309730.tif 000017
【図１６】
2004309730.tif 000018
【図１７】
2004309730.tif 000019